(57)【要約】【課題】基材の隠蔽情報記入面が内側となるように重ね合わされ、この重ね合わせ面同士が剥離可能に擬似接着される形態の情報隠蔽用シートとして、一般的な印刷加工設備でも製造することができるものを提供する。【解決手段】基材１１，１２が、２つ折りされて隠蔽情報Ｊの記入面１１ａ，１２ａが内側となるように重ね合わされ、この重ね合わせ面１１ａ，１２ａ同士が剥離可能に擬似接着される。この際、一方の重ね合わせ面１１ａ上に剥離層Ｈが設けられ、他方の重ね合わせ面１２ａ上に接着剤層Ｓが設けられる。そして、この接着剤層Ｓを、固化する前は通常の状態でも剥離層Ｈ及び基材１１，１２に対する接着力を有し、かつ固化すると基材１１，１２からは剥離不能となるものとする。【選択図】図２
2008030416.tif 000002
【特許請求の範囲】
【請求項１】
基材が、少なくとも２つ折りされて隠蔽情報記入面が内側となるように重ね合わされ、この重ね合わせ面同士が剥離可能に擬似接着される、情報隠蔽用シートであって、
一方の重ね合わせ面上の少なくとも一部に剥離層が設けられ、他方の重ね合わせ面上又は両方の重ね合わせ面上に接着剤層が設けられ、この接着剤層が固化する前は通常の状態でも前記剥離層及び前記基材に対する接着力を有し、かつ重ね合わせ後に前記接着剤層が固化すると前記剥離層に対し擬似接着する、ことを特徴とする情報隠蔽用シート。
【請求項２】
少なくとも２枚の基材が、隠蔽情報記入面が内側となるように重ね合わされ、この重ね合わせ面同士が剥離可能に擬似接着される、情報隠蔽用シートであって、
一方の重ね合わせ面上の少なくとも一部に剥離層が設けられ、他方の重ね合わせ面上又は両方の重ね合わせ面上に接着剤層が設けられ、この接着剤層が固化する前は通常の状態でも前記剥離層及び前記基材に対する接着力を有し、かつ重ね合わせ後に前記接着剤層が固化すると前記剥離層に対し擬似接着する、ことを特徴とする情報隠蔽用シート。
【請求項３】
前記一方の重ね合わせ面を有する基材は、前記剥離層が設けられている領域と前記剥離層が設けられていない領域との境に、切断補助線が形成されている、請求項１又は請求項２記載の情報隠蔽用シート。
【発明の詳細な説明】
【技術分野】
【０００１】
本発明は、記入情報を特定人のみが知り得る状態で隠蔽でき、例えば、親展葉書等として使用することができる情報隠蔽用シートに関するものである。
【背景技術】
【０００２】
この種の情報隠蔽用シートとしては、基材を２つ折りする等して隠蔽情報記入面が内側となるように重ね合わせ、この重ね合わせ面同士を剥離可能に擬似接着するものがある。この種の情報隠蔽用シートは、２つ折り状態を解除して記入した隠蔽情報を読み取ることができるように構成されたものであり、例えば、個人情報や口座番号を記入して各種届出機関へ郵送する際の情報隠蔽葉書等として利用されている。
そして、この種の情報隠蔽用シートにおける擬似接着の方法としては、従来、通常の状態では接着しないが加熱加工や加圧加工をすると剥離可能に接着する感熱接着剤や感圧接着剤を、重ね合わせ面に塗工して擬似接着させる方法があった（例えば、特許文献１参照）。しかしながら、この形態によると、加熱又は加圧加工機が必要になり、ロールコレーターや封筒コレーター等の一般的な印刷加工設備では製造することができない。
また、剥離可能に接着する方法としては、未乾燥状態（ウェット状態）では単なる重ね合わせによっても接着性を発現するが、乾燥した後には接着性が失われる接着剤を、重ね合わせ面に塗布する方法も知られている（例えば、特許文献２参照）。しかしながら、この方法は、乾燥した後は接着性が失われてしまうこと、未乾燥状態で剥離すると単なる重ね合わせによっても（通常の状態でも）再接着してしまうことから、単なる仮止めであり、いわゆる擬似接着ではない。また、この方法においては、未乾燥状態で剥離すると接着剤が対向する面に残るおそれがあるとの問題もある。さらに、この様な凝集破壊する仮止めの状態では、剥した面の表面が乱反射し、マット調のくすんだ状態となり好ましくない。
【特許文献１】特開平１１−７８３０７号公報
【特許文献２】特開平１１−２４５５５９公報
【発明の開示】
【発明が解決しようとする課題】
【０００３】
本発明が解決しようとする主たる課題は、基材の隠蔽情報記入面が内側となるように重ね合わされ、この重ね合わせ面同士が剥離可能に擬似接着される形態の情報隠蔽用シートとして、一般的な印刷加工設備でも製造することができるものを提供することにある。
【課題を解決するための手段】
【０００４】
この課題を解決した本発明は、次のとおりである。
〔請求項１記載の発明〕
基材が、少なくとも２つ折りされて隠蔽情報記入面が内側となるように重ね合わされ、この重ね合わせ面同士が剥離可能に擬似接着される、情報隠蔽用シートであって、
一方の重ね合わせ面上の少なくとも一部に剥離層が設けられ、他方の重ね合わせ面上又は両方の重ね合わせ面上に接着剤層が設けられ、この接着剤層が固化する前は通常の状態でも前記剥離層及び前記基材に対する接着力を有し、かつ重ね合わせ後に前記接着剤層が固化すると前記剥離層に対し擬似接着する、ことを特徴とする情報隠蔽用シート。
【０００５】
〔請求項２記載の発明〕
少なくとも２枚の基材が、隠蔽情報記入面が内側となるように重ね合わされ、この重ね合わせ面同士が剥離可能に擬似接着される、情報隠蔽用シートであって、
一方の重ね合わせ面上の少なくとも一部に剥離層が設けられ、他方の重ね合わせ面上又は両方の重ね合わせ面上に接着剤層が設けられ、この接着剤層が固化する前は通常の状態でも前記剥離層及び前記基材に対する接着力を有し、かつ重ね合わせ後に前記接着剤層が固化すると前記剥離層に対し擬似接着する、ことを特徴とする情報隠蔽用シート。
【０００６】
〔請求項３記載の発明〕
前記一方の重ね合わせ面を有する基材は、前記剥離層が設けられている領域と前記剥離層が設けられていない領域との境に、切断補助線が形成されている、請求項１又は請求項２記載の情報隠蔽用シート。
【発明の効果】
【０００７】
本発明によると、基材の隠蔽情報記入面が内側となるように重ね合わされ、この重ね合わせ面同士が剥離可能に擬似接着される形態の情報隠蔽用シートとして、一般的な印刷加工設備でも製造することができるものとなる。
【発明を実施するための最良の形態】
【０００８】
次に、本発明の実施の形態を説明する。
〔第１の形態〕
図１から図３に、第１の形態の情報隠蔽用シート１０を示した。
本形態の情報隠蔽用シート１０は、基材にミシン目線、折り筋線、低坪量線等からなる折り線１３が形成されており、この折り線１３を挟んで、相互に隣接する例えば葉書サイズの一方の基材１１及び他方の基材１２に区画されている。この区画された一方の基材１１及び他方の基材１２は、その一方の面１１ａ及び１２ａが、例えば親展情報や金融機関等に関する情報等の隠蔽情報Ｊを、オフセット印刷、グラビア印刷等の適宜の印刷方法あるいは各種プリンター等によって記入することができる隠蔽情報記入面とされている。
情報隠蔽用シート１０の基材は、図３に示すように、折り線１３を利用して２つ折りされて隠蔽情報記入面１１ａ及び１２ａが内側となるように重ね合わされる。この重ね合わせによって、情報隠蔽用シート１０は、例えば葉書サイズになり、重ね合わせ面となる隠蔽情報記入面１１ａ及び１２ａ同士は、剥離可能に擬似接着される。以下、この擬似接着の方法を詳細に説明する。
まず、一方の重ね合わせ面１１ａ上の少なくとも一部には、本形態では全部（全面）には、剥離層Ｈが設けられている。また、他方の重ね合わせ面１２ａ上又は両方の重ね合わせ面１１ａ及び１２ａ上には、本形態では他方の重ね合わせ面１２ａ上には、接着剤層Ｓが設けられている。そして、この接着剤層Ｓは、固化する前は通常の状態でも、つまり加熱や加圧等をなされなくても剥離層Ｈ及び基材１１，１２に対する接着力を有し、かつ固化すると基材１１，１２からは剥離不能となる。したがって、接着剤層Ｓが固化する前に、ロールコレーターや封筒コレーター等の一般的な印刷加工設備で、重ね合わせ面（隠蔽情報記入面）１１ａ及び１２ａ同士を接着することができ、加熱加工機や加圧加工機を用いる必要がない。また、接着剤層Ｓは固化すると基材１１，１２からは剥離不能となるため、重ね合わせ面１１ａ及び１２ａ同士を剥離しようとすると、図３に剥離位置として示すように、剥離層Ｈと接着剤層Ｓとの間で剥離する。したがって、剥離可能であり、接着剤層Ｓが対向する面に残るおそれもない。さらに、接着剤層Ｓは、既に固化しているため、剥離後において剥離層Ｈに対する接着力を有しない。したがって、重ね合わせ面（隠蔽情報記入面）１１ａ及び１２ａ同士が、単なる重ね合わせによって（通常の状態で）、再接着してしまうことがない。
【０００９】
〔第２の形態〕
図４から図６に、第２の形態の情報隠蔽用シート２０を示した。本形態の情報隠蔽用シート２０は、第１の形態の情報隠蔽用シート１０を変形したものである。
すなわち、本形態の情報隠蔽用シート２０は、剥離層Ｈが、一方の重ね合わせ面１１ａ上の全部（全面）にではなく一部に、具体的には、側端部１１Ａを除いた基材１１の重ね合わせ面１１ａ上のみに、設けられている。したがって、基材が折り線１３を利用して２つ折りされると、図５に示すように、基材１１の側端部１１Ａの重ね合わせ面１１ａが、基材１２の側端部１２Ａの重ね合わせ面１２ａ上に設けられた接着剤層Ｓと接着する。そして、この接着剤層Ｓは、固化すると基材１１，１２からは剥離不能となるため、側端部１１Ａと側端部１２Ａとは、剥離することがなく、情報隠蔽性が向上する。
さらに、本形態においては、基材１１の剥離層Ｈが設けられている領域と剥離層Ｈが設けられていない領域との境に、ミシン目やスリット線等の切断補助線１４が形成されており、重ね合わせ状態において、基材１２の、この切断補助線１４と対向する位置にも同様の切断補助線１４が形成されている。したがって、図６に示すように、切断補助線１４，１４を利用して、側端部１１Ａ及び側端部１２Ａを、それぞれ基材１１又は基材１２から切断すれば、開封等に際して、容易に重ね合わせ面１１ａと重ね合わせ面１２ａとを剥離することができる。
本形態では、切断補助線１４が、基材１１のほか、基材１２にも形成されているが、基材１１あるいは基材１２の片方に形成することもできる。
【００１０】
〔第３の形態〕
図７及び図８に、第３の形態の情報隠蔽用シート３０を示した。
本形態の情報隠蔽用シート３０は、第１及び第２の形態と異なり、少なくとも２枚の基材が、本形態では２枚の基材３１及び３２が、隠蔽情報記入面３１ａ及び３２ａが内側となるように重ね合わされ、この重ね合わせ面３１ａ及び３２ａ同士が剥離可能に擬似接着される。
この擬似接着の方法は、第１及び第２の形態と同様であり、一方の重ね合わせ面３１ａ上の少なくとも一部に、本形態では全部（全面）に、剥離層Ｈが設けられ、他方の重ね合わせ面３２ａ上又は両方の重ね合わせ面３１ａ及び３２ａ上に、本形態では他方の重ね合わせ面３２ａ上に、接着剤層Ｓが設けられている。
【００１１】
〔第４の形態〕
図９及び図１０に、第４の形態の情報隠蔽用シート４０を示した。本形態の情報隠蔽用シート４０は、第３の形態の情報隠蔽用シート３０を変形したものである。
すなわち、本形態の情報隠蔽用シート４０は、基材３１の例えば中央部に、平面略方形状、平面略円形状等の開口３４が設けられている。また、重ね合わせ状態においてこの開口３４と対向する基材３２の重ね合わせ面３２ａには、隠蔽情報Ｊに変えて宛名等の公開情報Ｔが印刷等によって記入される。したがって、図１０に示すように、開口３４を通して公開情報Ｔを読み取ることができ、基材の重なり合いによって厚さが増した情報隠蔽用シート４０に、公開情報Ｔを印刷等する必要がなく、印刷作業が容易となる。
【００１２】
〔第５の形態〕
図１１に、第５の形態の情報隠蔽用シート６０を示した。本形態の情報隠蔽用シート６０は、第１の形態の情報隠蔽用シート１０を変形したものである。
すなわち、本形態の情報隠蔽用シート６０は、第１の形態と異なり、まず、一方の重ね合わせ面１１ａ上に剥離層Ｈが設けられ、その後、両方の重ね合わせ面１１ａ及び１２ａ上に接着剤層Ｓが設けられている。つまり、一方の重ね合わせ面１１ａ上においては、剥離層Ｈを介して接着剤層Ｓが設けられている。剥離層Ｈや接着剤層Ｓの形成上の都合等によっては、このような形態も可能である。
本形態においては、図１１中に示すように、一方の重ね合わせ面１１ａ上の剥離層Ｈと接着剤層Ｓとの間が、剥離位置となる。
【００１３】
〔第６の形態〕
図１２及び図１３に、第６の形態の情報隠蔽用シート７０を示した。本形態の情報隠蔽用シート７０は、第１の形態の情報隠蔽用シート１０を変形したものである。
本形態の情報隠蔽用シート７０は、基材にミシン目等からなる折り線７５が２本平行に形成されている。つまり、本形態の基材は、この折り線の一方７５を挟んで、相互に隣接する一方の基材（以下、第１の基材ともいう）７１及び他方の基材（以下、第２の基材ともいう）７２に区画され、また、折り線の他方７５を挟んで、相互に隣接する一方の基材（第２の基材）７２及び他方の基材（以下、第３の基材ともいう）７３に区画されている。この区画された第１から第３の基材７１，７２及び７３は、その一方の面７１ａ及び７２ａ並びに他方の面７２ｂ及び７３ｂが、それぞれ例えば親展情報等の隠蔽情報Ｊを印刷等によって記入することができる隠蔽情報記入面とされている。つまり、本形態では、隠蔽情報記入面が、第１の形態の２倍の広さとなっている。
情報隠蔽用シート７０の基材は、折り線７５，７５を利用して３つ折りされて隠蔽情報記入面７１ａ及び７２ａ並びに７２ｂ及び７３ｂが内側となるように重ね合わされる。この重ね合わせ面となる隠蔽情報記入面７１ａ及び７２ａ同士並びに７２ｂ及び７３ｂ同士は、剥離可能に擬似接着される。この擬似接着の方法は、第１の形態と同様である。
具体的には、一方の重ね合わせ面７１ａ上の基材７１の側端部を除いた部位に剥離層Ｈが設けられ、他方の重ね合わせ面７２ａ上の全部（全面）に接着剤層Ｓが設けられ、これら剥離層Ｈ及び接着剤層Ｓで擬似接着分離層が形成されている。また、一方の重ね合わせ面７３ｂ上の基材７４の側端部を除いた部位に剥離層Ｈが設けられ、他方の重ね合わせ面７２ｂ上の全部（全面）に接着剤層Ｓが設けられ、これら剥離層Ｈ及び接着剤層Ｓで擬似接着分離層が形成されている。
さらに、本形態においては、基材７１及び７３の剥離層Ｈが設けられている領域と剥離層Ｈが設けられていない領域との境に、ミシン目やスリット等からなる、本形態では基材の途中まで切り込まれたハーフスリットからなる切断補助線７４，７４が形成されている。したがって、切断補助線７４，７４を利用して、基材７１や基材７３から側端部を切り離せば、開封等に際して、容易に重ね合わせ面７１ａと重ね合わせ面７２ａとを、あるいは重ね合わせ面７２ｂと重ね合わせ面７３ｂとを剥離することができる。
【００１４】
〔第７の形態〕
図１４に、第７の形態の情報隠蔽用シート８０を示した。本形態の情報隠蔽用シート８０は、第６の形態の情報隠蔽用シート７０を変形したものである。
本形態の情報隠蔽用シート８０は、一方の重ね合わせ面７３ｂ上の剥離層Ｈ及び他方の重ね合わせ面７２ｂ上の接着剤層Ｓに変えて、第１の基材７１の重ね合わせ面７１ａの反対側の面７１ｂ、第２の基材７２の重ね合わせ面７２ｂ、及び、第３の基材７３の重ね合わせ面７３ｂに、感熱又は感圧加工すると擬似接着する圧着層Ｇが形成されている。このように、本発明の方法は、従来の擬似接着方法と組み合わせることもできる。
また、本形態の情報隠蔽用シート８０は、剥離層Ｈが、第１の基材７１の重ね合わせ面７１ａ全面に設けられており、切断補助線７４，７４が設けられていない形態となっている。
【００１５】
〔第８の形態〕
図１５に、第８の形態の情報隠蔽用シート９０を示した。本形態の情報隠蔽用シート９０は、第６の形態の情報隠蔽用シート７０を変形したものである。
本形態の情報隠蔽用シート９０は、一方の重ね合わせ面７３ｂ上の剥離層Ｈが接着剤層Ｓに変えられ、また、他方の重ね合わせ面７２ｂ上の接着剤層Ｓは設けられていない。したがって、一方の重ね合わせ面７３ｂ及び他方の重ね合わせ面７２ｂは、剥離不能に接着される。
また、本形態の情報隠蔽用シート９０においても、第８の形態と同様に、剥離層Ｈが、第１の基材７１の重ね合わせ面７１ａ全面に設けられており、切断補助線７４，７４が設けられていない形態となっている。
【００１６】
〔その他〕
（１）各情報隠蔽用シートの基材の素材、厚さ等は、特に限定されない。素材としては、例えば、クラフト紙、上質紙、グラシン紙、パーチメント紙、レーヨン紙、コート紙、合成紙、樹脂フィルムがラミネートされたシート等を例示することができる。さらにこれらの素材に耐水処理を施すことにより雨に濡れた場合の耐久性が増す。また、環境保護の観点から各種再生紙を用いてもよい。ただし、資源の再利用という観点からは、樹脂フィルムがラミネートされたもの等は、避けるのが好ましい。
また、以上のうち各紙は、古紙を原料とする再生紙あるいはバージンパルプ原料とする非再生紙のいずれであってもよい。また、合成紙であってもよい。
基材の坪量は、特に限定されないが、隠蔽情報が反対面から透けて視認されない程度の不透明度を確保できること、郵送や取り扱いの利便性等を考慮すると６０〜２００ｇ／ｍ2程度であるのが望ましい。基材の厚さは、例えば、通常５０〜３００μｍである。
（２）接着剤層Ｓを形成する接着剤としては、例えば、天然又は合成ゴム系、アクリル系、シリコン系、ポリウレタン系、ポリエステル系、有機溶剤系、エマルジョン系の既知の接着剤を用いることができる。
ゴム系接着剤の具体例を挙げれば、主成分として天然ゴム、ポリイソプレンゴム、ポリイソブチレン、ポリブタジエンゴム、スチレン−ブタジエン−スチレンブロック共重合体、スチレン−イソプレン−スチレンブロック共重合体等の中から選ばれた少なくとも１種を含有するものが挙げられる。
アクリル系接着剤の具体例を挙げれば、主成分として、アクリル酸エステル単独重合体、アクリル酸エステル単位２種以上を含む共重合体及びアクリル酸エステルと他の官能性単量体との共重合体の中から選ばれた少なくとも１種を含有するものが挙げられる。前記アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。ここで、アクリル系接着剤を用いるのであれば、リサイクル処理における離解工程や再生工程において、不都合をもたらさないようにすべく、アルカリ可溶性、水溶性又は水再分散性を有するものを用いるのが望ましい。
また、接着剤には、所望に応じて粘着付与剤、架橋剤、充填剤等が配合される。粘着付与剤としては、例えばロジン系樹脂、ポリテルペン系樹脂等の天然樹脂、Ｃ５系、Ｃ９系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。
接着剤層Ｓは、接着剤を、例えば、塗布・塗工等することによって形成することができ、この塗布・塗工は、例えば、エアナイフコーター、ブレードコーター、ロッドメタリングコーター、カーテンコーター、ロールコーター等の従来各種塗工機による塗工を採用することができる。また、模様印刷あるいはベタ印刷によって接着剤の塗布量や塗布分布を適宜調整することが容易であることから、オフセット印刷、グラビア印刷、凸版印刷、凹版印刷等各種印刷による印刷塗工を採用することもできる。
接着剤の塗布・塗工量としては、用いる接着剤の種類により適宜変更可能であるが、固形部質量で５〜５０ｇ／ｃｍ2、好適には、１０〜３０ｇ／ｃｍ2である。
（３）剥離層Ｈを形成する剥離剤としては、例えば、シリコン、長鎖アルキルポリマー、ポリオレフィン、アルキド樹脂、フッ素化合物等の既知の剥離剤の中から適宜選択して用いることができる。接着剤層Ｈは、剥離剤を、接着剤層Ｓの形成と同様、例えば、塗布・塗工等することによって形成することができる。
剥離剤の塗布・塗工量としては、用いる剥離剤の種類により適宜変更可能であるが、固形部質量で０．１〜１０ｇ／ｃｍ2である。
（４）剥離層Ｈと接着剤層Ｓとの接着力（剥離強度）は、ＪＩＳ  Ｚ  ０２３７の１０にある１８０度引きはがし粘着力の測定で、３〜２５Ｎ／５０ｍｍとなるようにするのが好適である。
【産業上の利用可能性】
【００１７】
本発明は、親展葉書等として使用することができる情報隠蔽用シートとして、適用可能である。
【図面の簡単な説明】
【００１８】
【図１】第１の形態の情報隠蔽用シートの平面図である。
【図２】図１のＩ−Ｉ線矢視図である。
【図３】第１の形態の情報隠蔽用シートを折り重ねた状態の断面図である。
【図４】図１のＩ−Ｉ線矢視図に相当する第２の形態である。
【図５】第２の形態の情報隠蔽用シートを折り重ねた状態の断面図である。
【図６】第２の形態の情報隠蔽用シートを折り重ね、側端部を切断した状態の断面図である。
【図７】情報隠蔽用シートの第３の形態の断面図である（重ね合わせ前）。
【図８】情報隠蔽用シートの第３の形態の断面図である（重ね合わせ後）。
【図９】情報隠蔽用シートの第４の形態の断面図である（重ね合わせ前）。
【図１０】情報隠蔽用シートの第４の形態の断面図である（重ね合わせ後）。
【図１１】図１のＩ−Ｉ線矢視図に相当する第５の形態である。
【図１２】第６の形態の情報隠蔽用シートの平面図である。
【図１３】図１３のＩＩ−ＩＩ線矢視図である。
【図１４】図１３のＩＩ−ＩＩ線矢視図に相当する第７の形態である。
【図１５】図１３のＩＩ−ＩＩ線矢視図に相当する第８の形態である。
【符号の説明】
【００１９】
１０，２０，３０，４０，６０，７０，８０，９０…情報隠蔽用シート、１１，１２，３１，３２，７１，７２，７３…基材、１１ａ，１２ａ，３１ａ，３２ａ，７１ａ，７２ａ，７２ｂ，７３ｂ…重ね合わせ面、１３，７５…折り線、Ｈ…剥離層、Ｊ…隠蔽情報、Ｓ…接着剤層。
【図１】
2008030416.tif 000003
【図２】
2008030416.tif 000004
【図３】
2008030416.tif 000005
【図４】
2008030416.tif 000006
【図５】
2008030416.tif 000007
【図６】
2008030416.tif 000008
【図７】
2008030416.tif 000009
【図８】
2008030416.tif 000010
【図９】
2008030416.tif 000011
【図１０】
2008030416.tif 000012
【図１１】
2008030416.tif 000013
【図１２】
2008030416.tif 000014
【図１３】
2008030416.tif 000015
【図１４】
2008030416.tif 000016
【図１５】
2008030416.tif 000017